(57)【要約】【課題】  スクリーンの平面性を維持して吊り下げができ、構造簡単で取扱容易な上に、低価格で、携帯や格納に便利なプロジェクタスクリーンの立設装置を提供する。【解決手段】  横断面Ｖ字状に形成した衝立板１０、又は、１０Ｂの対向する上縁１１（１）、１１（２）に、１対の切欠溝１１１（１）、１１１（２）をそれぞれ設けて、前記１対の切欠溝１１１（１）、１１１（２）に、スクリーン２０の上端に係着した差込レール２１の両端を係着し、プロジェクタ３０をスクリーン２０の前面から投影できるようにしたものである。【選択図】        図１
2006010971.tif 000002
【特許請求の範囲】
【請求項１】
横断面Ｖ字状に形成した衝立板１０、又は、１０Ｂの対向する上縁１１（１）、１１（２）、又は、１１（１）Ｂ、１１（２）Ｂに、１対の切欠溝１１１（１）、１１１（２）、又は、１１１（１）Ｂ、１１１（２）Ｂをそれぞれ設けて、前記１対の切欠溝１１１（１）、１１１（２）、又は、１１１（１）Ｂ、１１１（２）Ｂに、スクリーン２０、又は、２０Ｂの上端に係着した差込レール２１、又は、２１Ｂの両端を係着し、プロジェクタ３０をスクリーン２０、又は、２０Ｂの前面から投影できるようにしたことを特徴とするプロジェクタスクリーン立設装置。
【請求項２】
横断面Ｖ字状に形成した衝立板１０Ｃの対向する上縁１１（１）Ｃ、１１（２）Ｃに１対の切欠溝１１１（１）Ｃ、１１１（２）Ｃをそれぞれ設け、前記１対の切欠溝１１１（１）Ｃ、１１１（２）Ｃに、スクリーン２０Ｃの上端に係着した差込レール２１Ｃの両端を係着できるようにすると共に、衝立板１０Ｃの下部に対向する切欠口１２（１）Ｃ、１２（２）Ｃをそれぞれ設けて、プロジェクタ３０を載置できるようにした棚板１３Ｃを橋渡しできるようにし、プロジェクタ３０をスクリーン２０Ｃの背面から投影できるようにしたことを特徴とする請求項１記載のプロジェクタスクリーン立設装置。
【請求項３】
横断面Ｖ字状に形成した衝立板１０Ｄの対向する上縁１１（１）Ｄ、１１（２）Ｄに、１対の切欠溝１１１（１）Ｄ、１１１（２）Ｄをそれぞれ設け、前記１対の切欠溝１１１（１）Ｄ、１１１（２）Ｄにスクリーン２０Ｄの上端に係着した差込レール２１Ｄの両端を係着できるようにすると共に、衝立板１０Ｄの結合部１０１Ｄを切り欠いて開口１２Ｄを設け、プロジェクタ３０の投影光を開口１２Ｄを通じてスクリーン２０Ｄの背面から投影できるようにしたことを特徴とする請求項１記載のプロジェクタスクリーン立設装置。
【請求項４】
横断面Ｖ字状に形成した衝立板１０Ｅの対向する上縁１１（１）Ｅ、１１（２）Ｅに１対の切欠溝１１１（１）Ｅ、１１１（２）Ｅをそれぞれ設け、前記１対の切欠溝１１１（１）Ｅ、１１１（２）Ｅにスクリーン２０Ｅの上端に係着した差込レール２１Ｅの両端を係着できるようにすると共に、衝立板１０Ｅの下部に、対向する切欠口１２Ｅ（１）、１２Ｅ（２）をそれぞれ設けて、鏡面４０を取りつけた棚板１３Ｅを橋渡しできるようにし、プロジェクタ３０をスクリーン２０Ｅの正面下方向から鏡面４０を介してスクリーン２０Ｆ背面に投影できるようにしたことを特徴とする請求項１記載のプロジェクタスクリーン立設装置。
【請求項５】
横断面Ｖ字状に形成した衝立板１０Ｆの対向する上縁１１（１）Ｆ、１１（２）Ｆに、１対の切欠溝１１１（１）Ｆ、１１１（２）Ｆをそれぞれ設け、前記１対の切欠溝１１１（１）Ｆ、１１１（２）Ｆに、スクリーン２０Ｆの上端に係着した差込レール２１Ｆの両端を係着できるようにすると共に、衝立板１０Ｆの上面及びスクリーン下方を、被覆板１３Ｆ及び１４Ｆを介して密閉して衝立板１０Ｆの内部を暗黒化できるようにし、プロジェクタ３０をスクリーン２０Ｆの前面から投影できるようにしたものであることを特徴とする請求項１記載のプロジェクタスクリーン立設装置。
【発明の詳細な説明】
【技術分野】
【０００１】
本発明は、主としてプロジェクタ用のスクリーンの立設装置に関する。
【背景技術】
【０００２】
従来のプロジェクタ用等のスクリーンを、床面又は机上面等に立設して、投影画像が見れるようにしたスクリーン立設装置には種々あるが、いずれも構造複雑で、高価につく欠点があった。
そこで、本発明者は、スクリーンを改良すると共に、構造簡単で、極めて低価格で製作簡単なプロジェクタスクリーン立設装置の開発に成功した。
【特許文献１】特開平１１−２８７１号公報
【特許文献２】特開平１０−９７００１号公報
【特許文献３】特開平９−３１１３８５号公報
【発明の開示】
【発明が解決しようとする課題】
【０００３】
本発明は、スクリーンの平面性を維持して吊り下げができるようにしたプロジェクタスクリーン立設装置を提供することにある。
また、本発明は、構造簡単で取扱容易な上に、低価格で、携帯や格納に便利なプロジェクタスクリーンの立設装置を提供することにある。
【課題を解決するための手段】
【０００４】
本発明プロジェクタスクリーン立設装置は、上記課題を達成するため、図１及び図２に示すように、第１発明は、横断面Ｖ字状に形成した衝立板１０、又は、１０Ｂの対向する上縁１１（１）、１１（２）、又は、１１（１）Ｂ、１１（２）Ｂに、１対の切欠溝１１１（１）、１１１（２）、又は、１１１（１）Ｂ、１１１（２）Ｂをそれぞれ設けて、前記１対の切欠溝１１１（１）、１１１（２）、又は、１１１（１）Ｂ、１１１（２）Ｂに、スクリーン２０、又は、２０Ｂの上端に係着した差込レール２１、又は、２１Ｂの両端を係着し、プロジェクタ３０をスクリーン２０、又は、２０Ｂの前面から投影できるようにしたものである。
また、本発明プロジェクタスクリーン立設装置は、上記課題を達成するため、図３に示すように、第２発明は、横断面Ｖ字状に形成した衝立板１０Ｃの対向する上縁１１（１）Ｃ、１１（２）Ｃに、１対の切欠溝１１１（１）Ｃ、１１１（２）Ｃをそれぞれ設け、前記１対の切欠溝１１１（１）Ｃ、１１１（２）Ｃにスクリーン２０Ｃの上端に係着した差込レール２１Ｃの両端を係着できるようにすると共に、衝立板１０Ｃの下部に対向する切欠口１２（１）Ｃ、１２（２）Ｃをそれぞれ設けて、プロジェクタ３０を載置できるようにした棚板１３Ｃを橋渡しできるようにし、プロジェクタ３０をスクリーン２０Ｃの背面から投影できるようにしたものである。
また、本発明プロジェクタスクリーンの立設装置は、上記課題を達成するため、図４に示すように、第３発明は、横断面Ｖ字状に形成した衝立板１０Ｄの対向する上縁１１（１）Ｄ、１１（２）Ｄに、１対の切欠溝１１１（１）Ｄ、１１１（２）Ｄをそれぞれ設け、前記１対の切欠溝１１１（１）Ｄ、１１１（２）Ｄにスクリーン２０Ｄの上端に係着した差込レール２１Ｄの両端を係着できるようにすると共に、衝立板１０Ｄの結合部１０１Ｄを切り欠いて開口１２Ｄを設け、プロジェクタ３０の投影光を開口１２Ｄを通じてスクリーン２０Ｄの背面から投影できるようにしたものである。
また、本発明プロジェクタスクリーンの立設装置は、上記課題を達成するため、図５に示すように、第４発明は、横断面Ｖ字状に形成した衝立板１０Ｅの下部に、対向する切欠口１２Ｅ（１）、１２Ｅ（２）をそれぞれ設けて、鏡面４０を取りつけた棚板１３Ｅを橋渡して立設できるようにし、プロジェクタ３０をスクリーン２０Ｅの正面下方向から鏡面４０を介してスクリーン２０Ｆ背面に投影できるようにしたものである。
さらに、本発明プロジェクタスクリーンは、上記課題を達成するため、図６に示すように、第５発明は、横断面Ｖ字状に形成した衝立板１０Ｆの対向する上縁１１（１）Ｆ、１１（２）Ｆに、１対の切欠溝１１１（１）Ｆ、１１１（２）Ｆをそれぞれ設け、前記１対の切欠溝１１１（１）Ｆ、１１１（２）Ｆに、スクリーン２０Ｆの上端に係着した差込レール２１Ｆの両端を係着できるようにすると共に、衝立板１０Ｆの上面及びスクリーン下方を、被覆板１３Ｆ及び１４Ｆを介して密閉して衝立板１０Ｆの内部を暗黒化できるようにし、プロジェクタ３０をスクリーン２０Ｆの前面から投影できるようにしたものである。
本発明において、衝立板、棚板、被覆板は、厚紙板、段ボール板、合成樹脂板、木板等いずれでもよい。
衝立板を横断面Ｖ字状に形成するためには、折曲げ、組み込み、テープ貼り等で行われる。
衝立板は延長板である衝立板を延設することができる。
スクリーンは、プロジェクタの投影光を反射して映像を前面に形成するもの、背面からプロジェクタの投影光を透過して映像を前面に形成するものが用途に応じ選択される。
また、スクリーン及び差込レールは、特願２００４−１７２９８０に出願したと同様なものが使用される。
【発明の効果】
【０００５】
本発明プロジェクタスクリーン立設装置は、厚紙、段ボール等の軽量で環境に優しい板材を使用でき、折畳み、分解、格納、携行いずれも容易で、その上、製作簡単、極めて安価につく利点がある。
また、本発明プロジェクタスクリーン立設装置のうち、衝立板の内側を暗色にしたものや被覆板によって内部を暗黒化したものは、反射型スクリーンの映像を極めて鮮明化する特別の効果がある。
【発明を実施するための最良の形態】
【０００６】
本発明プロジェクタスクリーン立設装置は、折畳み又は分解可能の衝立板と巻回できる差込レール付きスクリーンと必要に応じ被覆板とからなることを特徴としている。
【実施例１】
【０００７】
本発明実施例１が図１に示されている。
本発明実施例のプロジェクタスクリーン立設装置は、段ボール製衝立板１０とスクリーン２０とからなる。
段ボール製衝立板１０は、１０１で２つ折りに折り曲げ（蝶番付き、テープ貼り等を含む）可能に形成され、横断面Ｖ字状に形成されたもので、内側は黒色化粧紙、外側はエンジ色化粧紙で被覆されている。
差込レール２１付き反射型スクリーン２０は、対向する衝立板１０（１）、１０（２）の上縁１１（１）、１１（２）の切欠溝１１１（１）、１１１（２）に係着される。
従って、プロジェクタ３０で投影すると、スクリーン２０に反射映像され、スクリーン２０前面は黒色衝立板１０が背後にあるのでより鮮明な映像が得られる。
本発明立設装置は、使用しないときは、衝立板１０は折り畳んでスクリーン２０と一緒に格納又は携行できる。
図２は、図１の本発明立設装置において、衝立板１０の代りに衝立板１０Ｂを設けたものである。衝立板１０Ｂは、衝立板１０（１）Ｂ、１０（２）Ｂに２分割し、衝立板１０（１）Ｂの差込片１０２Ｂ、１０２Ｂを１０（２）Ｂの差込口１０３Ｂ、１０３Ｂに挿入して１０１Ｂで横断面Ｖ字状に分解可能に組み込んだものである。
図６は、図１の本発明立設装置において、衝立板１０と同じように、２つ折りにした衝立板１０Ｆの上面に三角状被覆板１３Ｆと、スクリーン２０下に矩形状被覆板１４Ｆによって、２つ折りされた衝立板１０Ｆの内部を暗黒化するように被覆したものである。被覆板１３Ｆは衝立板１０（１）Ｆ、１０（２）Ｆの切欠き１１２（１）Ｆ、１１２（２）Ｆによって若干低くされている上縁１１（１）Ｆ、１１（２）Ｆにのせて嵌合されて被覆される。被覆板１４Ｆは、両側の突出部１４１（１）Ｆ、１４１（２）Ｆが、衝立板１０（１）Ｆ、１０（２）Ｆの切欠き１１３（１）Ｆ、１１３（２）Ｆに係着して被覆される。被覆板１３Ｆ、１４Ｆはいずれも取りはずし可能である。
図８は、図１の本発明立設装置において、衝立板１０の代りに衝立板１０Ｇを設けたもので、衝立板１０Ｇは、１０１Ｇで１０（１）Ｇ、１０（２）Ｇに２つ折りに折り曲げて横断面Ｖ字状に形成されると共に、延長板の衝立板１０（３）Ｇ、１０（４）Ｇを１０（１）Ｇ、１０（２）Ｇに延設したものである。衝立板１０Ｇは延長板の衝立板１０（３）Ｇ、１０（４）Ｇと共に折り曲げて格納又は携行できる。
【実施例２】
【０００８】
本発明実施例２が図３に示されている。
本発明実施例のプロジェクタスクリーン立設装置は、合成樹脂板製衝立板１０Ｃとスクリーン２０Ｃとからなる。
合成樹脂板製衝立板１０Ｃは、１０１Ｃで２つ折りに折り曲げ（蝶番付き、テープ貼り等を含む）可能に形成され、横断面Ｖ字状に形成されたもので、白色に着色されたものである。
また、衝立板１０（１）Ｃ、１０（２）Ｃは、対向する位置に、切欠口１２（１）Ｃ、１２（２）Ｃを設けて、棚板１３Ｃがのせられるようにし、棚板１３Ｃ上にプロジェクタ３０が載置できるようにされている。
差込レール２１Ｃ付き透過型スクリーン２０Ｃは、対向する衝立板１０（１）Ｃ、１０（２）Ｃの上縁１１（１）Ｃ、１１（２）Ｃの切欠溝１１１（１）Ｃ、１１１（２）Ｃに係着される。
従って、プロジェクタ３０で、スクリーン２０Ｃの背面に投光されると、スクリーン２０Ｃの前面は鮮明な映像が得られる。
本発明立設装置は、使用しないときは、衝立板１０Ｃは折り畳んでスクリーン２０Ｃと一緒に格納又は携行できる。
図４は、図３の本発明立設装置において、衝立板１０Ｃの代りに衝立板１０Ｄを設けたもので、衝立板１０Ｄは、１０１Ｄで２つ折りに折り曲げて横断面Ｖ字状に形成したもので、折り曲げ部分に開口１２Ｄを設けて外部に置かれたプロジェクタ３０の投影光を開口１２Ｄを介して透過型スクリーン２０Ｃの背面に投光しスクリーン２０Ｃの前面に映像が見られるようにしたものである。
図５は、１０１Ｅで２つ折りに折り曲げ可能に形成された横断面Ｖ字状の衝立板１０Ｅで、対向する衝立板部分１０（１）Ｅ、１０（２）Ｅに、切欠口１２（１）Ｅ、１２（２）Ｅを設けて、立板１３Ｅを橋渡しして差込み立設できるようにし、立板１３Ｅに鏡４０Ｅを固定したものである。
プロジェクタ３０の投影光は、鏡４０Ｅに投光されて反射し、透過型スクリーン２０Ｅの背面に投影されてスクリーン２０Ｅ前面に映像が形成されるものである。
図７は、図３の本発明立設装置において、衝立板１０Ｃの代りに衝立板１０Ｈを設け、１０１Ｈで２つ折りに折り曲げて横断面Ｖ字状に形成されると共に、折り曲げられた衝立板１０（１）Ｈ，１０（２）Ｈに延長板である衝立板１０（３）Ｈ、１０（４）Ｈを延設し、衝立板１０（３）Ｈにさらに衝立板１０（５）Ｈを延設し、衝立板１０（５）Ｈにはスクリーン窓１００（５）Ｈを開口し、衝立板１０（４）Ｈと衝立板１０（５）Ｈとを継いだものである。
また、衝立板１０（１）Ｈ，１０（２）Ｈは、対向する位置に、切欠口１２（１）Ｈ、１２（２）Ｈを設けて棚板１３Ｈがのせられるようにし、棚板１３Ｃ上にプロジェクタ３０が載置できるようにしている。
差込レール２１Ｈ付き透過型スクリーン２０Ｈは、対向する衝立板１０（３）Ｈ、１０（４）Ｈの上縁１１（３）Ｈ、１１（４）Ｈの切欠溝１１１（３）Ｈ、１１１（４）Ｈに係着される。
さらに、対向する衝立板１０（１）Ｈ、１０（２）Ｈの上縁１１（１）Ｈ、１１（２）Ｈには被覆板１４Ｈ、対向する衝立板１０（３）Ｈ、１０（４）Ｈの上縁１１（３）Ｈ、１１（４）Ｈには被覆板１５Ｈが折曲げ又はテープ貼り等によって被覆される。
従って、プロジェクタ３０で、スクリーン２０Ｈの背面に投光されると、スクリーン２０Ｈの前面のスクリーン窓１００（５）Ｈを介して鮮明な映像がみられることになる。
【産業上の利用可能性】
【０００９】
本発明のプロジェクタスクリーン立設装置は、構造簡単、製作容易で安価に量産できる。
【図面の簡単な説明】
【００１０】
【図１】本発明実施例の原理を示す説明図である。
【図２】本発明実施例の原理を示す別の説明図である。
【図３】本発明実施例の原理を示す別の説明図である。
【図４】本発明実施例の原理を示す別の説明図である。
【図５】本発明実施例の原理を示す別の説明図である。
【図６】本発明実施例の原理を示す別の説明図である。
【図７】本発明実施例の原理を示す別の説明図である。
【図８】本発明実施例の原理を示す別の説明図である。
【符号の説明】
【００１１】
１０、１０Ｂ、１０Ｃ、１０Ｄ、１０Ｅ、１０Ｆ、１０Ｇ、１０Ｈ    衝立板
１０（１）、１０（１）Ｂ、１０（１）Ｃ、１０（１）Ｄ、１０（１）Ｅ、１０（１）Ｆ、１０（１）Ｇ、１０（１）Ｈ、１０（２）、１０（２）Ｂ、１０（２）Ｃ、１０（２）Ｄ、１０（２）Ｅ、１０（２）Ｆ、１０（２）Ｇ、１０（２）Ｈ    衝立板
１１（１）、１１（１）Ｂ、１１（１）Ｃ、１１（１）Ｄ、１１（１）Ｅ、１１（１）Ｆ、１１（１）Ｇ、１１（１）Ｈ、１１（２）、１１（２）Ｂ、１１（２）Ｃ、１１（２）Ｄ、１１（２）Ｅ、１１（２）Ｆ、１１（２）Ｇ、１１（２）Ｈ    上縁
１１１（１）、１１１（１）Ｂ、１１１（１）Ｃ、１１１（１）Ｄ、１１１（１）Ｅ、１１１（１）Ｆ、１１１（１）Ｈ、１１１（２）、１１１（２）Ｂ、１１１（２）Ｃ、１１１（２）Ｄ、１１１（２）Ｅ、１１１（２）Ｆ、１１１（２）Ｈ    切欠溝
１０２Ｂ    差込片
１０３    差込口
１２（１）Ｃ、１２（２）Ｃ    切込口
１２Ｄ    開口
１２Ｅ（１）、１２Ｅ（２）    切欠口
１３Ｅ    棚板
１３Ｆ、１４Ｆ    被覆板
２０、２０Ｂ、２０Ｃ、２０Ｄ、２０Ｅ、２０Ｆ    スクリーン
２１、２１Ｂ、２１Ｃ、２１Ｄ、２１Ｅ、２１Ｆ    差込レール
３０    プロジェクタ
４０Ｅ    鏡
【図１】
2006010971.tif 000003
【図２】
2006010971.tif 000004
【図３】
2006010971.tif 000005
【図４】
2006010971.tif 000006
【図５】
2006010971.tif 000007
【図６】
2006010971.tif 000008
【図７】
2006010971.tif 000009
【図８】
2006010971.tif 000010